(57)【要約】【課題】エレベータ制御盤とエレベータの監視制御装置間に通信異常が発生した場合にも、通信異常の発生前のエレベータかごの状態が継続して表示され続けてしまうという事態を回避する。【解決手段】エレベータ監視制御装置６は、複数のランプが配置されているエレベータ監視盤表示パネル７を制御し、エレベータ制御盤１とシリアル通信を行うとともに、エレベータ監視盤表示パネル７のランプの点灯によりエレベータかご３の状態を表示させる。エレベータ監視制御装置６は、停電やエレベータ制御盤１の電源遮断等でエレベータ制御盤１とエレベータ監視制御装置６間のシリアル通信がダウンしたことを検出する手段をもち、シリアル通信がダウンしたときは、エレベータ監視盤表示パネル７の所定のランプを消灯させる。【選択図】図１
2009173411.tif 000002
【特許請求の範囲】
【請求項１】
エレベータ制御盤と通信を行うとともに、ランプが配置されエレベータかごの状態を前記ランプの点灯及び消灯にて示す表示装置を制御するエレベータ監視制御装置であって、
前記エレベータ制御盤との通信状態を監視し、前記エレベータ制御盤との通信異常を検出する通信状態監視部と、
前記通信状態監視部により前記エレベータ制御盤との通信異常が検出された場合に、前記表示装置のランプを消灯させる表示制御部とを有することを特徴とするエレベータ監視制御装置。
【請求項２】
前記通信状態監視部は、
前記エレベータ制御盤との通信異常を検出した後も前記エレベータ制御盤との通信状態を監視し、前記エレベータ制御盤との通信が正常状態に回復したことを検出し、
前記表示制御部は、
前記通信状態監視部により前記エレベータ制御盤との通信が正常状態に回復したことが検出された場合に、消灯させた前記表示装置のランプを点灯させることを特徴とする請求項１に記載のエレベータ監視制御装置。
【請求項３】
前記エレベータ監視制御装置は、
複数のランプが配置されエレベータかごの状態を各ランプの点灯及び消灯にて示す表示装置を制御し、
前記エレベータ監視制御装置は、更に、
前記エレベータ制御盤との通信異常が検出された場合に点灯を維持するランプ及び消灯させるランプの少なくともいずれかを指定するランプ指定情報を記憶するランプ指定情報記憶部と、
前記表示制御部は、
前記通信状態監視部により前記エレベータ制御盤との通信異常が検出された場合に、前記ランプ指定情報に基づき、前記表示装置の１以上のランプを消灯させることを特徴とする請求項１又は２に記載のエレベータ監視制御装置。
【請求項４】
前記表示制御部は、
前記通信状態監視部により前記エレベータ制御盤との通信異常が検出された場合に、前記エレベータかごの所在位置を示すランプ以外のランプを消灯させることを特徴とする請求項３に記載のエレベータ監視制御装置。
【請求項５】
前記表示制御部は、
前記通信状態監視部による通信状態の監視結果から独立して、前記表示装置のいずれかのランプを点灯させることを特徴とする請求項３又は４に記載のエレベータ監視制御装置。
【請求項６】
前記エレベータ監視制御装置は、
複数のブロックに分割され、各ブロックに１以上のランプが配置されている表示装置を制御し、
前記表示制御部は、
前記表示装置のブロックごとに、ブロックに配置されている全てのランプを点灯させることを特徴とする請求項５に記載のエレベータ監視装置。
【発明の詳細な説明】
【技術分野】
【０００１】
この発明は、エレベータの監視制御装置に関する。
【背景技術】
【０００２】
エレベータ制御盤とエレベータの監視制御装置間をシリアル通信で構成するエレベータの監視制御装置がある。
例えば、特許文献１では、エレベータの運行状態を表示する表示装置としてＣＲＴ（Ｃａｔｈｏｄｅ  Ｒａｙ  Ｔｕｂｅ）を用い、エレベータ制御盤とエレベータの監視制御装置のシリアル通信異常が検知された場合に、ＣＲＴに通信異常を表示する技術が開示されている。
【特許文献１】特開平５−７８０４９号公報
【発明の開示】
【発明が解決しようとする課題】
【０００３】
上記の特許文献１の技術は、ＣＲＴを用いているが、エレベータの運行状態を表示する表示装置として、複数のランプ（ＬＥＤ（Ｌｉｇｈｔ  Ｅｍｉｔｔｉｎｇ  Ｄｉｏｄｅ）ランプ等）が配置され、エレベータかごの状態を各ランプの点灯及び消灯にて示す監視盤表示パネルが広く用いられている。
監視盤表示パネルを用いる場合は、一端、エレベータ制御盤とエレベータ監視制御装置間で監視盤表示データの通信が成立した際に、監視盤表示パネルヘの表示出力をおこなう。
このとき、何らかの異常でシリアル通信が途絶えた場合でも、監視盤表示データが更新されないため、前の状態を継続し、結果誤ったデータを監視盤表示パネルヘ出力し続けるという課題がある。
すなわち、監視盤表示パネルを用いる場合は、エレベータ制御盤とエレベータ監視制御装置間でシリアル通信が途絶えた場合でも、監視盤表示パネルの各ランプの点灯・消灯状態が変化しないため、シリアル通信が途絶える前のエレベータかごの状態が継続して監視盤表示パネルに表示され続けてしまうという課題がある。
【０００４】
この発明は、上記のような課題を解決することを主な目的の一つとしており、エレベータ制御盤とエレベータ監視制御装置間に通信異常が発生した場合にも、通信異常の発生前のエレベータかごの状態が継続して表示装置に表示され続けてしまうという事態を回避することを主な目的とする。
【課題を解決するための手段】
【０００５】
本発明に係るエレベータ制御盤と通信を行うとともに、ランプが配置されエレベータかごの状態を前記ランプの点灯及び消灯にて示す表示装置を制御するエレベータ監視制御装置であって、
前記エレベータ制御盤との通信状態を監視し、前記エレベータ制御盤との通信異常を検出する通信状態監視部と、
前記通信状態監視部により前記エレベータ制御盤との通信異常が検出された場合に、前記表示装置のランプを消灯させる表示制御部とを有することを特徴とする。
【発明の効果】
【０００６】
本発明によれば、エレベータ制御盤とエレベータ監視制御装置間の通信状態を監視し、通信異常が発生した場合には、表示装置のランプを消灯させるため、通信異常の発生前のエレベータかごの状態が継続して表示装置に表示され続けてしまうという事態を回避することができる。
【発明を実施するための最良の形態】
【０００７】
実施の形態１．
本実施の形態では、エレベータ制御盤とエレベータの監視制御装備間をシリアル通信する構成において、何らかの異常でシリアル通信が途絶えたとき、それまでの監視盤表示データの状態を内部的に記憶しつつ、監視盤表示パネルへの表示出力をおこなわない機能を備えたエレベータの監視制御装置について説明する。
【０００８】
図１は、本実施の形態に係るエレベータシステムの構成例を示すものである。
図１において、エレベータ制御盤ｌは、エレベータかご３の位置、運転モードなどエレベータかごの状態を示す監視盤表示データをシリアル通信ライン１５にて、エレベータ監視盤５の中にあるエレベータ監視制御装置６と通信する。
エレベータ監視制御装置６は、エレベータ監視盤表示パネル７を制御し、エレベータ制御盤１から入力した監視盤表示データをエレベータ監視盤表示パネル７に出力し、エレベータ監視盤表示パネル７に監視盤表示データを表示させる。
エレベータ監視盤表示パネル７は、複数のランプ（ＬＥＤランプ等）が配置され、監視盤表示データの内容に従って、各ランプを点灯又は消灯する。つまり、エレベータ監視盤表示パネル７は、エレベータかごの状態を各ランプの点灯及び消灯にて示す。
エレベータ監視盤表示パネル７は、表示装置の例である。
【０００９】
図２は、本実施の形態に係るエレベータ監視制御装置６のブロック図を示すものである。
図２において、エレベータ監視制御装置６は、シリアル通信Ｉ／Ｆ（インタフェース）８を有する。また、エレベータ監視制御装置６は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）９を有し、ＵＡＲＴ９がシリアル通信Ｉ／Ｆ８を介してエレベータ制御盤１とシリアル通信ライン１５にて監視盤表示データの通信をおこなう。
シリアル通信Ｉ／Ｆ８は、例えば、ＲＳ４２２Ａインタフェースである。
また、本実施の形態に係るエレベータ監視制御装置６では、エレベータ監視盤表示パネル７との通信を行うレシーバ１２及びドライバ１３を有する。
更に、エレベータ監視制御装置６は、エレベータ監視制御装置６の全体の制御を行うとともに、エレベータ制御盤１との通信制御、エレベータ監視盤表示パネル７の制御、エレベータ制御盤１との通信に異常が発生した際の制御等を実施するＣＰＵ（Ｃｅｎｔｒａｌ  Ｐｒｏｃｅｓｓｉｎｇ  Ｕｎｉｔ）１１、及びＣＰＵ１１が利用するＲＡＭ（Ｒａｎｄｏｍ  Ａｃｃｅｓｓ  Ｍｅｍｏｒｙ）１０が含まれる。
また、ＲＳＷ（ロータリースイッチ）１４は、実施の形態３において説明する。
【００１０】
図７は、本実施の形態に係るエレベータ監視制御装置６の機能ブロックを示す。
図７に示す各要素は、例えば、プログラムで実現され、図２に図示していない磁気ディスク装置等の補助記憶装置に記憶され、実行に際して、ＲＡＭ１０にロードされ、ＣＰＵ１１により実行される。
【００１１】
図７において、シリアル通信部６１は、シリアル通信Ｉ／Ｆ８及びＵＡＲＴ９を用いて、シリアル通信ライン１５を介したエレベータ制御盤１とのシリアル通信の通信制御を行う。
通信状態監視部６２は、エレベータ制御盤１との通信状態を監視し、エレベータ制御盤１との通信異常を検出する。また、通信状態監視部６２は、エレベータ制御盤１との通信異常を検出した後もエレベータ制御盤１との通信状態を監視し、エレベータ制御盤１との通信が正常状態に回復したことを検出する。
表示制御部６３は、通信状態監視部６２によりエレベータ制御盤１との通信異常が検出された場合に、エレベータ監視盤表示パネル７の１以上のランプを消灯させる。点灯を維持させるランプ及び消灯させるランプは、ランプ指定情報記憶部６４に記憶されているランプ指定情報に定義されており、表示制御部６３は、ランプ指定情報に従って、ランプを消灯させる。表示制御部６３は、例えば、エレベータかご３の所在位置（所在階）を示すインジケータのランプは点灯を維持し、それ以外のランプを消灯させる。
また、表示制御部６３は、通信状態監視部６２によりエレベータ制御盤１との通信が正常状態に回復したことが検出された場合に、消灯させたエレベータ監視盤表示パネル７のランプを点灯させる。
ランプ指定情報記憶部６４は、エレベータ制御盤１との通信異常が検出された場合に点灯を維持するランプ及び消灯させるランプの少なくともいずれかを指定するランプ指定情報を記憶している。
制御部６５は、エレベータ監視制御装置６の全体の動作を制御する。
【００１２】
次に、本実施の形態に係るエレベータ監視制御装置６の動作例を図４のフローチャート図を用いて説明する。
【００１３】
エレベータ監視制御装置６内の図７に示す各要素が図４のフローを実施する。つまり、ＣＰＵ１１が図７に示す各要素に相当するプログラムを実行する。
先ず、Ｓ１に示すように、シリアル通信部６１によりシリアル伝送が行われている場合に、Ｓ２に進む。
次に、通信状態監視部６２が、Ｓ２のヘルシーチェックを図３の通信手順により確認する。
具体的には、通信状態監視部６２が、ＵＡＲＴ９及びシリアル通信Ｉ／Ｆ８を用いてシリアル通信ライン１５へ所定のヘルシーチェック用の数値を送信して、ヘルシーチェック要求をおこなう。ヘルシーチェック要求に対し、エレベータ制御盤１からヘルシーチェック回答があれば（図３（ａ）の状態）、Ｓ６に進んで、表示制御部６３がシリアル通信部６１により受信された監視盤表示データをドライバ１３を介してエレベータ監視盤表示パネル７に出力し、エレベータ監視盤表示パネル７に監視盤表示データに従ったランプの点灯を行わせて監視盤表示データを表示させる。
【００１４】
Ｓ２においてＮＯの場合、すなわち、図３の通信手順でヘルシーチェック要求に回答がない場合は、所定時間毎にヘルシーチェック要求を繰り返し、回答がない場合（図３（ｂ）の状態）は、Ｓ３に進む。
Ｓ３において、表示制御部６３は、ランプチェック要求がなく、Ｓ４で消灯可能なランプかを判定後、消灯可能な場合は、エレベータ監視盤表示パネル７に監視盤表示データを表示するのをやめる（Ｓ５）。
つまり、表示制御部６３は、ランプ指定情報記憶部６４に記憶されているランプ指定情報を参照し、ランプごとに消灯可能なランプか否かを判別し、消灯可能なランプを消灯するようエレベータ監視盤表示パネル７に指示する。
なお、ランプチェック要求は、実施の形態２及び３で詳細を説明するが、ランプの点灯確認テストを実施するよう要求することである。
【００１５】
また、ヘルシーチェックの結果、エレベータ制御盤１とのシリアル通信に異常が発生していることを検知し、ランプを消灯した後も、通信状態監視部６２は定期的にヘルシーチェックを実施する。
例えば、図３（ｃ）及び（ｄ）に示すように、ヘルシーチェック要求に対する応答がなくランプを消灯した後に、エレベータ制御盤１とのシリアル通信が正常状態に回復した場合は、ヘルシーチェック要求に対して正常に回答が返ってくるので、表示制御部６３は、Ｓ６においてシリアル通信部６１により受信された監視盤表示データをドライバ１３を介してエレベータ監視盤表示パネル７に出力し、エレベータ監視盤表示パネル７に監視盤表示データに従ったランプの点灯を行わせて監視盤表示データを表示させる。
【００１６】
買電の停電やエレベータ制御盤１の電源遮断などでエレベータ制御盤１とエレベータ監視制御装置６間のシリアル通信が途絶する場合があるが、以上のようにヘルシーチェックを用いることで、シリアル通信がダウンしたことを検出することができ、シリアル通信がダウンしたときは、表示の必要の無い監視盤表示データをエレベータ監視盤表示パネル７へ表示の出力をおこなわないエレベータの監視制御装置を得ることができる。
【００１７】
そして、このようにシリアル通信がダウンした際には、ランプを消灯することで、シリアル通信ダウン前のエレベータかごの状態がエレベータ監視盤表示パネルに継続して表示され続けてしまうということがなく、誤ったデータをエレベータ監視盤表示パネルへ出力し続けることを回避することができる。
【００１８】
また、本実施の形態に係るエレベータ監視制御装置によれば、エレベータ制御盤との通信異常があった場合には、エレベータ監視盤表示パネルのランプを消灯することで、エレベータの監視を行う作業員に対して通信異常が発生したことを通知することができ、エレベータ監視盤表示パネルに通信異常の発生を通知するための特別なインジケータ等を設ける必要がない。このため、エレベータ監視盤表示パネルの構成を変更することなく、作業員に通信異常の発生を通知できる。
【００１９】
以上、本実施の形態では、エレベータ制御盤とエレベータの監視制御装置間をシリアル通信で構成するエレベータの監視制御装置において、買電の停電やエレベータ制御盤の電源遮断などでエレベータ制御盤とエレベータの監視制御装置間のシリアル通信がダウンしたことを検出する手段をもち、シリアル通信がダウンしたときは、必要の無い監視盤表示データをエレベータ監視盤表示パネルへ表示の出力をおこなわないエレベータの監視制御装置について説明した。
【００２０】
実施の形態２．
本実施の形態では、ランプチェック要求に従ってランプ点灯確認テストを行う例について説明する。
【００２１】
図２のエレベータ監視制御装置６内のＣＰＵ１１による処理例を図４のフローチャートを用いて説明する。
Ｓ１のシリアル伝送中でないとき、Ｓ３に進む。
Ｓ３でランプチェック要求がある場合、すなわち、エレベータを監視する作業員からランプ点灯確認テストの要求が入力された際に、表示制御部６３は、Ｓ６でエレベータ監視盤表示パネル７の全ランプを点灯させる。
【００２２】
このため、エレベータの据付中などエレベータ制御盤１とエレベータ監視制御装置６間のシリアル通信が成立できない場合でも、エレベータ監視盤表示パネル７へ監視盤表示データを出力することで、ランプ結線やランプの球切れを確認することができるエレベータの監視制御装置を得ることができる。
【００２３】
このように、本実施の形態に係る表示制御部は、通信状態監視部による通信状態の監視結果から独立して、エレベータ監視盤表示パネルのランプを点灯させることができる。
【００２４】
以上、本実施の形態では、エレベータ制御盤とエレベータの監視制御装置間をシリアル通信で構成するエレベータの監視制御装置において、エレベータの据付中などエレベータ制御盤とエレベータの監視制御装置間のシリアル通信が成立できない場合に、監視盤表示パネルヘ表示する出力を確認できる手段を備えたエレベータの監視制御装置について説明した。
【００２５】
実施の形態３．
本実施の形態では、ランプチェック要求があった際に、ランプ点灯確認テストをブロックごとに行う例について説明する。
【００２６】
本実施の形態に係るエレベータ監視盤表示パネル７は、複数のブロックに分割され、各ブロックに１以上のランプが配置されている。
そして、エレベータ監視制御装置６の表示制御部６３は、ランプチェック要求があった場合に、エレベータ監視盤表示パネル７のブロックごとに、ブロックに配置されている全てのランプを点灯させる。
【００２７】
図６は、エレベータ監視盤表示パネル７のブロック構成の例を示す。
そして、エレベータ監視制御装置６では、例えば、図６に示すデータが図２に図示していない磁気ディスク装置等の補助記憶装置に記憶され、ランプチェックの実行に際して、ＲＡＭ１０にロードされ、ＣＰＵ１１により参照される。
図６において、ＲＳＷの欄は、ＲＳＷ１４の値を示しており、後述するように、ＲＳＷ１４の値が１のときは、図６のＲＳＷの欄が「１」のレコードが選択され、当該レコードの対象ランプの欄に示されるランプがランプチェックにおける点灯確認の対象になる。
【００２８】
次に、本実施の形態に係るエレベータ監視制御装置６内のＣＰＵ１１による処理例を図５のフローチャートを用いて説明する。
実施の形態２と同じように、Ｓ３まで進み、Ｓ３でＹＥＳの場合は、Ｓ７でエレベータの監視制御装置６のＲＳＷ１４をＣＰＵＩ１が読み込む。
Ｓ８において、表示制御部６３が、ＲＡＭ１０の中に記憶された図６の内部データからＲＳＷ１４で設定された値に対応するレコードを抽出し、Ｓ６において、抽出したレコードの対象ランプの欄に示されている対象ランプをエレベータ監視盤表示パネル７において点灯させる。
ＲＳＷ１４で選択された以外のランプは、Ｓ９において、エレベータ監視盤表示パネル７で消灯させる。
【００２９】
このように、ランプチェックにおいて、一斉にエレベータ監視盤表示パネル７へ表示の出力を実施することなく、選択されたランプのみを（ブロックごとに）点灯することで、ランプ点灯用の最大電源容量を抑えることができる。つまり、ランプ点灯用の最大電源容量をエレベータ監視盤表示パネル７に含まれる全ランプに対応させる必要がなく、１ブロックに含まれるランプ数に対応させれば足りる。
このようにエレベータ監視盤表示パネル７へ表示する監視盤表示データの出力を分割して出力する機能を備えたエレベータの監視制御装置を得ることができる。
【００３０】
以上、本実施の形態では、ランプチェックの際に、一斉に監視盤表示パネルへ表示の出力を実施すると、ランプ点灯用の電源容量が大きくなってしまうので、監視盤表示パネルへ表示する出力を分割して出力する機能を備えたエレベータの監視制御装置について説明した。
【図面の簡単な説明】
【００３１】
【図１】実施の形態１〜３に係るエレベータシステムの構成例を示す図である。
【図２】実施の形態１〜３に係るエレベータ監視制御装置のブロック図である。
【図３】実施の形態１に係るエレベータ監視制御装置の通信手順である。
【図４】実施の形態１、２に係るエレベータ監視制御装置の動作例を示すフロー図である。
【図５】実施の形態３に係るエレベータ監視制御装置の動作例を示すフロー図である。
【図６】実施の形態３に係るエレベータ監視制御装置の内部データ構成例を示す図である。
【図７】実施の形態１〜３に係るエレベータ監視制御装置の機能ブロック図である。
【符号の説明】
【００３２】
１  エレベータ制御盤、２  巻上機、３  エレベータかご、４  カウンターおもり、５  エレベータ監視盤、６  エレベータ監視制御装置、７  エレベータ監視盤表示パネル、８  シリアル通信Ｉ／Ｆ、９  ＵＡＲＴ、１０  ＲＡＭ、１１  ＣＰＵ、１２  レシーバ、１３  ドライバ、１４  ＲＳＷ、１５  シリアル通信ライン、６１  シリアル通信部、６２  通信状態監視部、６３  表示制御部、６４  ランプ指定情報記憶部、６５  制御部。
【図１】
2009173411.tif 000003
【図２】
2009173411.tif 000004
【図３】
2009173411.tif 000005
【図４】
2009173411.tif 000006
【図５】
2009173411.tif 000007
【図６】
2009173411.tif 000008
【図７】
2009173411.tif 000009